(57)【要約】【課題】データの信頼性を確保しつつ、小サイズのセクタをアクセスでき、アクセス速度を向上できるようにした記録及び再生方法を提供する。【解決手段】ディスクに所定のセクタ間隔毎に、アドレス信号が記録されたヘッダを設ける。記録データは、エラー訂正符号化ブロックに配列し、エラー訂正符号化処理を行う。このエラー訂正符号化ブロックを所定の方向に複数個に分割してセクタＳ１、Ｓ２、Ｓ３、…を形成する。ヘッダに続いて、このセクタ毎のデータを記録する。再生時には、ヘッダを検出して、データをセクタ毎に再生する。セクタＳ１、Ｓ２、Ｓ３、…内の再生データで一方のエラー訂正処理を行い、このセクタ内の再生データでエラー訂正処理で訂正できない場合には、そのセクタＳ１、Ｓ２、Ｓ３、…を含むエラー訂正ブロックを再生し、２方向の系列でエラー訂正処理を行う。【選択図】図３
2004103235.tif 000002
【特許請求の範囲】
【請求項１】
　あらかじめセクタ毎のアドレス信号が記録された記録媒体において、
　エラー訂正符号化ブロックに配列して垂直方向と水平方向の２方向にエラー訂正符号化処理を行ったデータを、垂直方向又は水平方向に、上記２方向のエラー訂正符号の少なくとも一部をどちらも含み、かつ、同じ大きさの複数個に分割してセクタを形成し、上記アドレス信号に対応して記録された記録媒体。
【発明の詳細な説明】
【技術分野】
【０００１】
　この発明は、特に、ＤＶＤ等の光ディスクにコンピュータ用のデータを記録する場合に用いて好適な記録媒体に関する。
【背景技術】
【０００２】
　ＭＰＥＧ等で圧縮したディジタル映像信号を記録する記憶媒体として、ＤＶＤ（ディジタル・ビデオ・ディスク）が開発されている。ＤＶＤは、ＣＤ（コンパクト・ディスク）と同一直径の光ディスクであり、レーザ光の短波長化の進展と、対物レンズのＮＡの増大と共にディジタル変調及びエラー訂正符号化の処理の改良によって、記録密度がより一層向上されたものである。ＤＶＤでは、単層ディスクの場合でも、データ記憶容量が約３．７Ｇバイトと膨大である。ＤＶＤの形態としては、再生専用光ディスクの外に、ＭＯディスク或いは相変化型光ディスクを用いることで、記録／再生可能とされたものが提案されている。
【０００３】
　このようなＤＶＤを、コンピュータの外部記憶装置として用いることが提案されている。つまり、コンピュータの外部記憶装置として、大容量、高速アクセスの利点から、光ディスクドライブが注目されており、既に、ＣＤにデータを記録するようにしたＣＤ−ＲＯＭ、ＣＤ−Ｉや、ＭＤ（ミニ・ディスク）にデータを記録／再生するようにしたＭＤデータ等が提案されている。ＤＶＤは、データ記憶容量が約３．７Ｇバイトと膨大であるから、より大容量のデータを記憶できる外部記憶媒体として期待されている。
【０００４】
　ＤＶＤでは、記録データの保護を図るために、エラー訂正符号化処理がなされている。また、ＤＶＤでは、映像データのようなシーケンシャルなデータを扱うことから、畳み込み型のクロスインターリーブ符号が用いられている。ところが、畳み込み符号を用いると、セクタ単位でデータをアクセスし、データの読み出し／書き込みを行うことが困難になる。コンピュータのデータを記録／再生する外部記憶媒体として用いる場合、セクタ単位でデータをアクセスしてデータの読み出し／書き込みを行う必要があるため、ブロック完結型の符号を用いる必要がある。
【０００５】
　つまり、図９は、畳み込み型のクロスインターリーブ符号を発生する場合の処理の一例を示すものである。図９に示すように、Ｃ１系列では、垂直方向の例えば１６２バイトに対して、例えば８バイトのパリティＰが付加され、Ｃ２系列では、斜め方向に、例えば１４バイトのパリティＱが付加される。垂直方向の１４８バイトのデータと、８バイトのパリティＰと、１４バイトのパリティＱとから、垂直方向のデータ数は１７０バイトとなる。ディスクに記録されたデータは、フレームに同期して読み出され、１フレームは８５バイトである。垂直方向の１７０バイトのデータは、丁度、２フレーム分となる。
【０００６】
　上述のように、ＤＶＤでは、畳込み型のクロスインターリーブ符号が用いられているが、畳込み型の符号では、ブロック毎にデータをアクセスしてデータの読み出し／書き込みを行うことが困難になる。そこで、ブロック完結型のクロスインターリーブ符号を用いることが考えられる。
【０００７】
　図１０は、ブロック完結型のクロスインターリーブ符号を発生する場合の処理の一例を示すものである。上述の畳み込み符号の場合との共通化を図るため、垂直方向のデータ数は１４８バイト、パリティＰは８バイト、パリティＱは１４バイトとされ、垂直方向のデータの総数は１７０バイトとされる。１セクタを例えば１６ｋバイトとしたことから、水平方向のデータ数は１１２バイト（１４８×１１２＝１６５７６バイト）とされる。ブロック完結型のクロスインターリーブ符号とすると、インターリーブ長がブロックの幅より長くなる。このため、図１０に示すように、１１２バイトの長さに達すると、Ｃ２系列の折り返しが生じる。図１０に示すように、ブロック完結型のクロスインターリーブ符号を用いると、ブロック毎にデータの読み出し／書き込みを行うことが可能になり、コンピュータ用のデータを記録／再生するような外部記憶媒体として用いる場合に好適である。
【発明の開示】
【発明が解決しようとする課題】
【０００８】
　ところで、ＤＶＤのようなデータ記録媒体にデータを記録／再生する際のセクタサイズは、大きい程、高密度化や高信頼性の要求に応えられる。これと共に、取り扱うファイルの大きさは、益々、大きくなってきている。このため、近年、データ記録媒体のセクタサイズは大きくなっていく傾向にあり、１セクタのサイズは、当初の５１２バイトから、１０２４バイト、２ｋバイトへと、移行してきている。
【０００９】
　ところが、記録媒体のアクセスはセクタ単位で行われる。このため、セクタサイズが大きくなると、記録／再生時間が長くかかり、アクセス速度が低下するという問題が生じる。また、既存のデータ記録媒体のセクタとの互換性の問題から、小さいセクタで取り扱えるようにしたいという要望がある。
【００１０】
　ところが、ＤＶＤにデータを記録する場合、セクタ数を小さくすると、データの信頼性が低下するという問題がある。
【００１１】
　つまり、上述の例では、セクタサイズが１６ｋバイトとされている。セクタサイズを１６ｋバイトとしたときには、図１０に示したように、Ｃ２系列の折り返し数が１回生じる。
【００１２】
　図１０に示すブロックは１６ｋバイトであるので、これを８分割すれば、２ｋバイトのセクタが構成できることになる。ところが、図１１に示すように、１６ｋバイトのブロックを８分割して２ｋバイト（１４×１４８＝２０７２バイト）のセクタを構成し、上述の同様に、クロスインターリーブ符号を用いてエラー訂正符号化すると、Ｃ２系列に多数の折り返しが生じる。このため、十分なエラー訂正を行えない。
【００１３】
　このように、セクタサイズを大きくすると、データの信頼性は向上するという利点があるが、アクセス速度が遅くなるという欠点がある。これに対して、セクタサイズを小さくすると、アクセス速度が速くなるという利点があるが、データの信頼性が低下するという欠点がある。
【００１４】
　したがって、この発明の目的は、データの信頼性を確保しつつ、小サイズのセクタをアクセスでき、アクセス速度を向上できるようにした記録媒体を提供することにある。
【課題を解決するための手段】
【００１５】
　上述した課題を達成するために請求項１の発明は、あらかじめセクタ毎のアドレス信号が記録された記録媒体において、エラー訂正符号化ブロックに配列して垂直方向と水平方向の２方向にエラー訂正符号化処理を行ったデータを、垂直方向又は水平方向に、２方向のエラー訂正符号の少なくとも一部をどちらも含み、かつ、同じ大きさの複数個に分割してセクタを形成し、アドレス信号に対応して記録された記録媒体である。
【００１６】
　ディスクには、所定のセクタ間隔毎にヘッダが記録される。このヘッダには、アドレス信号が含められる。記録データは、エラー訂正符号化ブロックに配列され、エラー訂正符号化処理が行われる。このエラー訂正符号化ブロックを所定の方向に複数個に分割してセクタが形成される。ヘッダに続いて、このセクタ毎のデータが記録される。セクタは、エラー訂正符号化ブロックを所定の方向に複数個に分割して形成されているので、エラー訂正符号化ブロックで２方向にエラー訂正符号化した場合、各セクタで一方のエラー訂正処理が行なえる。再生時には、このヘッダを検出して、データがセクタ毎に再生される。セクタ内の再生データで、一方のエラー訂正処理が行われる。このセクタ内の再生データで、エラー訂正処理で訂正できない場合には、そのセクタを含むエラー訂正ブロックが再生される。そして、２方向の系列で、エラー訂正処理が行われる。このようにすると、データの信頼性を低下させずに、サイズの小さいセクタを取り扱うことができる。
【発明の効果】
【００１７】
　この発明では、エラー訂正符号化ブロックを所定の方向に複数個に分割してセクタが形成され、各セクタのデータが、アドレス信号が含まれるヘッダに続いて記録される。セクタは、エラー訂正符号化ブロックを所定の方向に複数個に分割して形成されているので、エラー訂正符号化ブロックで、各セクタで一方向でエラー訂正処理が行なえる。再生時には、このヘッダを検出して、データがセクタ毎に再生され、セクタ内の再生データで、一方向でエラー訂正処理が行われ、エラー訂正処理で訂正できない場合には、そのセクタを含むエラー訂正ブロックが再生され、２方向でエラー訂正処理が行われる。このため、小サイズのセクタを扱うことができ、アクセス速度を向上できると共に、データの信頼性が劣化しない。
【発明を実施するための最良の形態】
【００１８】
　以下、この発明の一実施例について図面を参照して説明する。図１は、この発明が適用できるデータ記録／再生装置の一例を示すものである。この例では、エラー訂正符号化のためのブロックが例えば１６ｋバイトとされ、セクタサイズが例えば２ｋバイトとされる。この２ｋバイトのセクタ毎に、データを扱えるようにしている。
【００１９】
　図１において、１は光ディスクである。光ディスク１は、スピンドルモータ２により回転される。この例では、光ディスク１は、光磁気ディスクであり、ディジタル映像信号を記録するＤＶＤを基本構成としたもので、データ記憶容量が約３．７Ｇバイトとされている。光ディスク１としては、相変化型のものを用いるようにしても良い。この光ディスク１には、データがセクタ毎に記録／再生される。
【００２０】
　光ディスク１に対して、光学ピックアップ３及び磁気ヘッド４が設けられる。この光学ピックアップ３及び磁気ヘッド４は、図示せずも、スレッド送り機構により、ディスクの半径方向に一体的に移動可能とされている。
【００２１】
　５はインターフェースである。インターフェース５としては、例えば、ＳＣＳＩが用いられる。このインターフェース５を介して、ホストコンピュータ６と、データやコマンドのやり取りがなされる。
【００２２】
　光ディスク１にデータを記録する場合には、インターフェース５から、データが入力される。このデータは、ブロック化回路７に供給される。ブロック化回路７は、ブロック完結のエラー訂正符号化を行うために、記録データをブロック化する。
【００２３】
　エラー訂正符号化回路８は、ブロック完結型のエラー訂正符号により、エラー訂正符号化処理を行うものである。このエラー訂正符号化回路８により、ブロック毎にエラー訂正符号化処理がなされる。
【００２４】
　後に説明するように、エラー訂正符号化のためのブロックは、複数に分割して扱われる。この分割されたものがセクタとされる。すなわち、１ブロックは、複数のセクタからなる。光ディスク１には、アドレス信号を含むヘッダが例えばプリピットにより設けられている。各セクタのデータは、このアドレス信号を含むヘッダに続いて記録される。
【００２５】
　エラー訂正符号化回路８の出力が変調回路９に供給される。変調回路９で、記録データが変調される。この変調回路９の出力がドライバ１０を介して、磁気ヘッド４に供給される。光ディスク１には、磁気ヘッド４からデータで変調された磁界が印加されると共に光学ピックアップ３からレーザービームが照射される。これにより、光ディスク１にデータが記録される。
【００２６】
　このように、この例では、データの記録は、データ書き込み時に、磁気ヘッド４にデータで変調された磁界が印加されると共に光学ピックアップ３からレーザービームが照射するような磁界変調方式とされているが、磁界変調方式に特定されるものではない。
【００２７】
　再生時には、光学ピックアップ３から、光ディスク１の再生信号が得られる。この再生信号は、ＲＦアンプ１１に供給される。ＲＦアンプ１１からの再生信号が復調回路１２に供給される。復調回路１２で、データが復調される。復調回路１２の出力がエラー訂正復号化回路１３に供給される。
【００２８】
　前述したように、光ディスク１には、アドレス信号を含むヘッダが記録されている。このヘッダにより、所望のセクタをアクセスしてデータを再生することができる。エラー訂正復号化回路１３は、Ｃ１系列でそのセクタのエラー訂正処理を行い、Ｃ１系列だけで訂正不能なら、そのセクタを含むエラー訂正ブロックが全て再生され、Ｃ１系列とＣ２系列とを用いてエラー訂正処理が行われる。
【００２９】
　エラー訂正復号化回路１３の出力がブロック分解回路１４に供給される。ブロック分解回路１４は、上述のブロック化回路７に対応した処理を行う。ブロック分解回路１４の出力がインターフェース５に送られ、インターフェース５を介して、外部にデータが出力される。
【００３０】
　また、ＲＦアンプ１１からは、トラッキングエラー信号やフォーカスエラー信号が出力される。これらのトラッキングエラー信号やフォーカスエラー信号は、サーボ回路１５に供給される。サーボ回路１５は、システムコントローラ１６の管理の基に、トラッキング制御信号やフォーカス制御信号、スレッドモータの制御信号、レーザーパワーの制御信号、スピンドルモータの制御信号等を発生する。トラッキング制御信号やフォーカス制御信号、スレッドモータの制御信号は、光学ピックアップ３に供給され、これにより、トラッキングサーボ制御やフォーカスサーボ制御が行われる。また、レーザーパワーの制御信号が光学ピックアップ３に供給され、記録時／再生時に応じて、最適なレーザーパワーが設定される。また、スピンドルモータの制御信号がドライバ１７を介してスピンドルモータ２に供給され、光ディスクの回転が制御される。
【００３１】
　この発明の一実施例では、上述したように、エラー訂正符号化用のブロックが複数のセクタから構成される。エラー訂正符号化用のブロックは例えば１６ｋバイトであり、セクタは２ｋバイトである。
【００３２】
　図２は、エラー訂正符号化用のブロックの一例を示すものである。図２に示すように、垂直方向に１４８バイト、水平方向に１１２バイトのデータが配列される。そして、垂直方向のＣ１系列では８バイトのパリティＰが付加され、斜め方向のＣ２系列では１４バイトのパリティＱが付加される。このようにして構成される垂直方向に１７０バイト（１４８バイトのデータと、８バイトのパリティＰと、１４バイトのパリティＱ）と、水平方向の１１２バイトからなるブロックが、エラー訂正符号化用のブロックとされる。Ｃ１系列では、（１７０，１６２，９）リード・ソロモン符号が用いられ、Ｃ２系列では（１７０，１５６，１５）リード・ソロモン符号が用いられる。データは垂直方向に読み出し／書き込みされる。
【００３３】
　このブロックの構造は、図１０に示したブロック完結型のクロスインターリーブ符号の構造と、基本的に同一である。但し、通常では、垂直方向にジクザグのインターリーブを行っているが、セクター毎にエラー訂正符号が完結するように、このようなジグザグのインターリーブは行われていない。
【００３４】
　図３に示すように、このエラー訂正符号化用の１ブロックを８分割したものがセクタＳ１、Ｓ２、Ｓ３、…Ｓ８とされる。すなわち、各セクタＳ１〜Ｓ８は、水平方向に１４バイト、垂直方向に１４８バイトからなり、１セクタのデータ容量は、
１４８×１４＝２０７２バイト
となり、パリティＰ及びＱを含めると、
１７０×１４＝２３８０バイト
となる。
【００３５】
　図４は、各セクタＳ１〜Ｓ８の構成を示すものである。各セクタは、図４Ａに示すように、ヘッダ部とデータ部とからなる。図４Ｂに示すように、ヘッダ部は、セクタ検出に用いる６バイトのセクタマーク（ＳＭ）と、ＰＬＬ引込みに用いる２４バイトのＶＦＯ１及び１５バイトのＶＦＯ２と、アドレス検出に用いる２バイトのアドレスマーク（ＡＭ）と、夫々５バイトのアドレス（ＩＤ１、ＩＤ２）からなる。アドレスには、トラックアドレス、セクタアドレス、エラー検出符号ＣＲＣが含められる。このセクタ部は、例えば、プリピットにより形成される。
【００３６】
　図４Ａに示すように、データ部は、ＰＬＬ引込みに用いる２０バイトのＶＦＯ３と、２３８０バイトのデータ及びエラー訂正符号とにより構成される。更に、ポストアンプル（ＰＡ）、スピンドルモータのデッターやディスクの偏芯等を吸収するためのバッファ、ギャップ（Ｇａｐ）等が含められる。また、データを同期するためのシンク（セクタシンク、フレームシンク）が付加される。２３８０バイトのデータのうち、２０７２バイトがユーザデータで、このユーザデータ中にエラー検出用のＣＲＣコードを含められ、データの保護が図れる。
【００３７】
　このように、各セクタには、先頭にヘッダ部が設けられる。再生時には、このヘッダ部を用いて、各セクタ毎にデータがアクセスされる。１セクタのデータでは、パリティＰを用いてＣ１系列でエラー訂正処理が可能である。Ｃ１系列でエラー訂正が行われ、Ｃ１系列だけでは訂正不能なら、そのセクタを含むエラー訂正ブロックを全てが再生され、Ｃ１系列とＣ２系列とを用いてエラー訂正処理が行われる。
【００３８】
　つまり、図５に示すように、セクタの再生要求があると（ステップＳＴ１）、先ず、所望のセクタがアクセスされ、このセクタのデータが再生される（ステップＳＴ２）。Ｃ１系列で、パリティＰを用いて、エラー訂正復号化処理が行われる（ステップＳＴ３）。Ｃ１系列でエラー訂正可能かどうかが判断され（ステップＳＴ４）、訂正可能なら、そのセクタの再生が完了される。訂正不能なエラーがある場合には、そのセクタを含むエラー訂正ブロックが全てアクセスされ、１ブロックのデータが再生される（ステップＳＴ５）。そして、Ｃ１系列とＣ２系列とを用いて、復号処理が行われる（ステップＳＴ６）。
【００３９】
　このように、この一実施例では、エラー訂正符号化ブロックが１６ｋバイトであるのにも係わらず、２ｋバイトのセクタ毎に再生が可能である。再生の際には、１ブロック（１６ｋバイト）をアクセスせずに、小サイズのセクタ（２ｋバイト）をアクセスするだけで良いので、データアクセス速度を上げることができる。そして、Ｃ１系列だけで訂正不能なエラーが生じている場合には、エラー訂正符号化ブロックを用いて、Ｃ１系列とＣ２系列とを用いてエラー訂正処理が行なえるので、データの信頼性が失われない。
【００４０】
　図６は、この発明の他の実施例を示すものである。前述の実施例では、クロスインターリーブ符号を用いたが、この実施例では、積符号が用いられる。
【００４１】
　図６に示すように、垂直方向に８３バイト、水平方向に２００バイトのデータが配列される。そして、垂直方向のＣ１系列では２バイトのパリティＰが付加され、水平方向のＣ２系列では２５バイトのパリティＱが付加される。このように垂直方向に８５バイト（８３バイトのデータと、２バイトのパリティＰ）と、水平方向の２２５バイト（２００バイトのデータと、２５バイトのパリティＱ）とから、エラー訂正符号化用のブロックが構成される。Ｃ１系列では、（８５，８３，３）リード・ソロモン符号が用いられ、Ｃ２系列では（２２５，２００，２６）リード・ソロモン符号が用いられる。
【００４２】
　図７に示すように、このエラー訂正符号化用の１ブロックが９分割され、この分割されたものがセクタＳ１１、Ｓ１２、Ｓ１３、…Ｓ１９とされる。エラー訂正符号化用のブロックの水平方向の長さは２２５バイトであり、これを９分割してセクタが構成されるので、１つのセクタの水平方向の長さは２５バイトとなる。Ｃ２系列では、２５バイトのパリティＱが付加される。このため、これらのセクタＳ１１〜Ｓ１９のうち、セクタＳ１９はパリティだけのセクタとなる。このセクタを、以下、パリティセクタと称することにする。
【００４３】
　パリティセクタＳ１９以外の各セクタＳ１１〜Ｓ１８のデータ容量は、
８３×２５＝２０７５バイト
となり、パリティＰを含めると、
８５×２５＝２１２５バイト
となる。データは、垂直方向に読み出し／書き込みされる。パリティセクタＳ１９は、全てパリティＰ及びＱで、その大きさはセクタＳ１１〜Ｓ１８と等しい。
【００４４】
　各セクタのデータは、前述の実施例と同様に、アドレスが記録されたヘッダ部に続いて配置される。ヘッダ部の構成は、前述の図４に示したものと同様に構成できる。
【００４５】
　再生時には、ヘッダ部を用いて、各セクタＳ１１、Ｓ１２、Ｓ１３、…毎にデータがアクセスされる。１つセクタのデータでは、Ｃ１系列でパリティＰを用いてエラー訂正処理が可能である。Ｃ１系列だけでエラー訂正処理が行われ、Ｃ１系列だけで訂正不能なら、そのセクタを含むエラー訂正ブロックが全て再生され、Ｃ１系列とＣ２系列とを用いてエラー訂正処理が行われる。
【００４６】
　この実施例では、パリティセクタＳ１９が設けられている。このため、セクタ毎にデータを書き換える場合、パリティセクタＳ１９を書き換えるだけで対応でき、セクタ毎のデータの書き換えが容易である。
【００４７】
　つまり、セクタ毎にデータを書き換える場合には、図８に示すような処理が行われる。セクタのデータ書き換え要求があると（ステップＳＴ１１）、先ず、データを書き換えるセクタがアクセスされ、このデータが読み出される（ステップＳＴ１２）。今回新たに記録するデータが入力され（ステップＳＴ１３）、今回のデータと、書き換え前のデータとの差分が求められる（ステップＳＴ１４）。この差分データは、パリティセクタのデータを書き換えるために、一旦、保存される（ステップＳＴ１５）。今回のデータから、そのセクタのＣ１系列のパリティＰが求められる（ステップＳＴ１６）。今回のデータとパリティＰとがそのセクタに記録される（ステップＳＴ１７）。
【００４８】
　そのセクタに新たなデータが書き込まれたら、パリティセクタがアクセスされる（ステップＳＴ１８）。このパリティセクタのデータに、ステップＳＴ１４で保存された今回のデータと書き換え前のデータとの差分データが加算される。このように、パリティセクタのデータに、今回のデータと書き換え前のデータとの差分データを加算することで、新たなパリティＱが求められる（ステップＳＴ１９）。このようにして求められたパリティＱにより、パリティセクタが書き換えられる（ステップＳＴ２０）。
【００４９】
　このように、所望のセクタを書き換える場合、パリティセクタのデータに、今回のデータと書き換え前のデータとの差分データを加算してパリティＱを求め、このパリティＱにより、パリティセクタを書き換えるだけで良い。したがって、符号化ブロックの全てのデータを再生し、パリティを求め直す必要はない。
【００５０】
　なお、このように、パリティセクタを設け、所望のセクタを書き換える場合、パリティセクタのデータに今回のデータと書き換え前のデータとの差分データを加算してパリティＱを求めてパリティセクタを書き換えるようにする構成は、積符号を用いる構成に限定されるものではない。例えば、クロスインターリーブ符号を用いる場合にも同様に適用できる。例えば、図３に示した構成の場合、パリティＱをセクタＳ８に配置するような構成とし、セクタＳ８をパリティセクタとすることが考えられる。
【００５１】
　なお、上述の実施例では、アドレスが記録されたヘッダ部が設けられており、このヘッダ部は例えばプリピットとされているが、トラックの溝に沿ってアドレスをウォブル記録しておくようにしても良い。
【００５２】
　この発明は、上述したこの発明の一実施形態等に限定されるものではなく、この発明の要旨を逸脱しない範囲内で様々な変形や応用が可能である。
【図面の簡単な説明】
【００５３】
【図１】この発明が適用できる記録／再生装置の一例のブロック図である。
【図２】この発明の一実施例の説明に用いる略線図である。
【図３】この発明の一実施例の説明に用いる略線図である。
【図４】この発明の一実施例におけるヘッダの構成の説明に用いる略線図である。
【図５】この発明の一実施例の説明に用いるフローチャートである。
【図６】この発明の他の実施例の説明に用いる略線図である。
【図７】この発明の他の実施例の説明に用いる略線図である。
【図８】この発明の他の実施例の説明に用いるフローチャートである。
【図９】従来のデータ記録方法の説明に用いる略線図てある。
【図１０】従来のデータ記録方法の説明に用いる略線図てある。
【図１１】従来のデータ記録方法の説明に用いる略線図てある。
【符号の説明】
【００５４】
　１　　光ディスク
　８　　エラー訂正符号化回路
　１３　エラー訂正復号化回路
【図１】
2004103235.tif 000003
【図２】
2004103235.tif 000004
【図３】
2004103235.tif 000005
【図４】
2004103235.tif 000006
【図５】
2004103235.tif 000007
【図６】
2004103235.tif 000008
【図７】
2004103235.tif 000009
【図８】
2004103235.tif 000010
【図９】
2004103235.tif 000011
【図１０】
2004103235.tif 000012
【図１１】
2004103235.tif 000013